(57)【要約】【課題】単なるレントゲン写真の撮影機能しか具備されていない。【解決手段】車輌本体Ｓの運転室１の後方に診療室２を設け、該診療室２内における少なくとも一側方に設置したキャビネット３に、ポータブル式の各種医療機械器具９、9a…を設置するラック部４、4a…、多数の引出し部５、5a…及びシンク部６を形成すると共に、各種医療機械器具９、9a…用のコンセント11、11a …を設け、キャビネット３下方部位にして車輌Ｓ側の側方開閉扉Ｄに該当する部位に、発電機18の収容スペース13を形成し、キャビネット３における上記収容スペース13の室内側を開閉自在とし、キャビネット３の室外側の背板3aにおける上記収容スペース13に相当する部位に開口部14を形成し、診療室２内の略中央にベッド８を配置する。よって、医療・診療設備が整った車輌になって、遠隔地域、紛争地域等の医療設備の整っていない地域にまで移動可能となる。【選択図】図１
2007222430.tif 000002
【特許請求の範囲】
【請求項１】
車輌本体における運転室の後方空間に診療室を設け、該診療室内における少なくとも一側方に設置したキャビネットに、ポータブル式の各種医療機械器具を設置するラック部、多数の引出し部及びシンク部を形成すると共に、各種医療機械器具用のコンセントを設け、キャビネットの下方部位に発電機の収容スペースを形成し、診療室内の略中央にベッドを配置したことを特徴とする医科診療・治療用移動車輌。
【請求項２】
キャビネットの下方部位にして車輌側の側方開閉扉に該当する部位に、発電機の収容スペースを形成し、キャビネットの室外側の背板における上記収容スペースに相当する部位に開口部を形成すると共に、キャビネットにおける上記収容スペースの室内側を開閉自在としたことを特徴とする請求項１記載の医科診療・治療用移動車輌。
【請求項３】
キャビネットの高さを、車輌の天井まで至らない様に設定したことを特徴とする請求項１又は２記載の医科診療・治療用移動車輌。
【発明の詳細な説明】
【技術分野】
【０００１】
本発明は、医療設備の整った医科診療・治療用移動車輌に関する。
【背景技術】
【０００２】
従来、かかる医科診療・治療用移動車輌にあっては、レントゲン撮影機能を具備した車輌が一般的である。
【０００３】
研究開発段階や出願段階で先行技術調査を行っておらず、記載すべき先行技術文献を知りません。
【発明の開示】
【発明が解決しようとする課題】
【０００４】
しかし、上記従来技術にあっては、単にレントゲン写真を撮影するだけのものであり、診療及び治療のための設備が整っていないなど、解決せねばならない課題があった。
【課題を解決するための手段】
【０００５】
本発明は、上記従来技術に基づく、単なるレントゲン写真の撮影機能しか具備されていない課題に鑑み、車輌本体の運転室の後方に診療室を設け、該診療室内における少なくとも一側方に設置したキャビネットに、ポータブル式の各種医療機械器具を設置するラック部、多数の引出し部及びシンク部を形成すると共に、各種医療機械器具用のコンセントを設け、キャビネットの下方部位にして車輌側の側方開閉扉に該当する部位に、発電機の収容スペースを形成し、キャビネットにおける上記収容スペースの室内側を開閉自在とし、キャビネットの室外側の背板における上記収容スペースに相当する部位に開口部を形成し、診療室内の略中央にベッドを配置することによって、医療・診療設備が整った車輌にして、遠隔地域、紛争地域等の医療設備の整っていない地域にまで移動可能にしている。
又、キャビネットの高さを、診療室の天井まで至らない様に形成すれば、例えばラックに収容状態のままでは使用出来ない医療機械器具をラックから出してキャビネットの上にセットすることが可能になり、更にキャビネットの上面の奥側に形成した突出部の前面にコンセントを設置すれば、主にキャビネットの上面に設置した医療機械器具の接続が容易になる。
【発明の効果】
【０００６】
要するに本発明は、車輌本体の運転室の後方に診療室を設け、該診療室内における少なくとも一側方に設置したキャビネットに、ポータブル式の各種医療機械器具を設置するラック部、多数の引出し部及びシンク部を形成すると共に、各種医療機械器具用のコンセントを設け、診療室内の略中央にベッドを配置したので、医療設備の整った移動可能な車輌にすることが出来るため、通行可能な地域であれば何処へでも移動して診療・治療することが出来る。
而も、キャビネットの下方部位にして車輌側の側方開閉扉に該当する部位に、発電機の収容スペースを形成し、キャビネットにおける上記収容スペースの室内側を開閉自在とし、キャビネットの室外側の背板における上記収容スペースに相当する部位に開口部を形成したので、狭い車内からではなく、側方開閉扉を開けて広い車外から発電機を操作したり、保守管理のために車輌本体に対し発電機を載せたり下ろすことを容易に行うことが出来る。
又、キャビネットの高さを、車輌の天井まで至らない様に設定したので、両側部及び後部のガラス窓より診療室内に自然光が入射するため、室内が明るく保つことが出来、而もキャビネット上が各種作業スペースや医療機器の載置スペースになるため、限られた室内で各種作業に数なスペースを確保することが出来る等その実用的効果甚だ大である。
【発明を実施するための最良の形態】
【０００７】
以下、本発明に係る医科診療・治療用移動車輌の実施の形態を図面に基づき説明する。
本発明に係る医科診療・治療用移動車輌にあっては、前部に位置する運転室１の後方空間に診療室２を形成し、該診療室２の少なくとも一側方にキャビネット３を設置し、該キャビネット３は主にラック部４、4a…、引出し部５、5a…及びシンク部６等を適宜組み合わせて構成し、該シンク部６は運転室１側に配置されると共に、給水タンク７が装備されている。
【０００８】
ラック部４、4a…に収容されるポータブル式の各種医療機械器具９、9a…としては、歯科治療にあっては、主にＸ線装置、歯科診療装置、コンプレッサーパック及びバキュームパック等であり、医科治療にあっては、Ｘ線装置、診療装置、血液分析装置、エコー装置（超音波検査装置）、除細動器、心電計、消毒器等である。
【０００９】
各引出し部５、5a…における引出し10、10a …は、収容状態で自動ロックされると共に、ワンタッチでロック解除可能なロック機構を備え、各引出し10、10a …内に、各種メス、各種鉗子などの器具が収容されている。
キャビネット３の適宜箇所に各種医療機械器具９、9a…を接続するコンセント11、11a …を複数個設け、その一部を、キャビネット３の上面の奥側に形成した突出部12の前面に設置して、主にキャビネット３の上面に設置した医療機械器具９、9a…を接続する様にしている。
【００１０】
キャビネット３の下方部位にして車輌Ｓ側の側方開閉扉Ｄに該当する部位に、発電機18及びドレンタンク19の収容スペース13を形成し、該発電機18を各種医療機械器具９、9a…の電源とし、シンク部６の排水管をドレンタンク19に接続している。
キャビネット３における上記収容スペース13の室内側を開閉自在し、キャビネット３の室外側の背板3aにおける上記収容スペース13に相当する部位に開口部14を形成して、診療中に側方開閉扉Ｄを開放することで、発電機18及びドレンタンク19を車外に露出させる様にしている。
尚、側方開閉扉Ｄにあっては、図１、２、４〜６に示す様なスライドドアであったり、図８に示す様な、撥ね上げ式の扉（一般的なサイドラゲッジルームの開閉扉）とし、その内側に発電機18及びドレンタンク19を設置している。
【００１１】
尚、診療室２には、略中央にベッド８を配置し、上記各種医療機械器具９、9a…の他、椅子15、照明装置16、酸素ボンベ17等が配備されている。
【００１２】
又、キャビネット３にあっては、図面で示す通り、車輌Ｓの天井まで至らない高さに設定するのが望ましく、この様にすれば、キャビネット３の上面を作業スペースや各種医療機械器具９、9a…の載置スペースとして利用することが可能になる。
而も、キャビネット３により車輌Ｓの側方窓部Ｗ、Ｗａ…が塞がれないため、自然光を診療室２内に入射させて明るくすることが可能になる。
【００１３】
又、キャビネット３を、車輌Ｓ側のタイヤハウスＴを隠す様に設置するのが望ましく、この場合、キャビネット３におけるタイヤハウスＴに相当する部位の下方部位をタイヤハウスＴの収容スペース20として、その上方をラック部４、4a…又は引出し部５、5a…とし、背板3aの下部にタイヤハウスＴに合致する切欠部21を形成している。
この様にすれば、低いタイヤハウスＴに足をとられることがなくなる。
【００１４】
又、診療室２の他側方にもキャビネット３を設けても良く、この場合、図１、３に示す様に、床Ｆ上にタイヤハウスＴを隠す様に設置したり、或いは図６、７に示す様に、ベッド８の上方に吊り棚として設置し、特に後者の場合、床面積が広くなる、即ち作業スペースが広くなるため、治療行為が行い易い。
【図面の簡単な説明】
【００１５】
【図１】本発明に係る医科診療・治療用移動車輌の天井を外した状態を示す要部概略平面図である。
【図２】図１のＸ１−Ｘ１断面図である。
【図３】図１のＹ１−Ｙ１断面図である。
【図４】図１のＹ２−Ｙ２断面図である。
【図５】スライド扉を開けた実施例を示す医科診療・治療用移動車輌の要部概略側面図である。
【図６】他の実施例の医科診療・治療用移動車輌の天井を外した状態を示す概略平面図である。
【図７】図６のＹ３−Ｙ３断面図である。
【図８】側方開閉扉を撥ね上げ式の扉とした医科診療・治療用移動車輌の断面図である。
【符号の説明】
【００１６】
１          運転室
２          診療室
３          キャビネット
3a          背板
４、4a…    ラック部
５、5a…    引出し部
６          シンク部
８          ベッド
９、9a…    各種医療機械器具
11、11a …  コンセント
13          収容スペース
14          開口部
18          発電機
Ｄ          側方開閉扉
Ｓ          車輌
【図１】
2007222430.tif 000003
【図２】
2007222430.tif 000004
【図３】
2007222430.tif 000005
【図４】
2007222430.tif 000006
【図５】
2007222430.tif 000007
【図６】
2007222430.tif 000008
【図７】
2007222430.tif 000009
【図８】
2007222430.tif 000010